(57)【要約】      （修正有）【課題】低コストで、鍋底の外方にはみ出した炎に使用者が不用意に接近して使用者が高温にさらされることが防止できるガスコンロを低コストで提供する。【解決手段】コンロバーナの火力が所定の第１火力より小さい設定小火力に変更された場合、コンロバーナの火力を設定小火力に変更した後、火力を変更する指令または消火指令が出力されるまでコンロバーナの火力を設定小火力に維持する設定小火力用制御を実行し、コンロバーナの火力を所定の第１火力以上の設定大火力に変更された場合、コンロバーナの火力を設定大火力に変更した後、所定の第１時間が経過するまではコンロバーナの火力を設定大火力に維持し、所定の第１時間Ｔ１が経過した後はコンロバーナの火力を所定の第１火力以下に設定された所定の第２火力に減少させる、設定大火力用時限制御を制御部が実行する【選択図】図７
2014194300.tif 000002
【特許請求の範囲】
【請求項１】
コンロバーナと、手動にて操作される点消火操作部と、この点消火操作部の操作によって前記点消火操作部から出力される指令に基づいて前記コンロバーナの点消火および火力の制御を行う制御部と、を備えたガスコンロにおいて、
前記コンロバーナの火力を所定の第１火力より小さい設定小火力に変更する指令が前記点消火操作部の操作によって出力された場合、前記制御部は、前記コンロバーナの火力を前記設定小火力に変更した後、前記点消火操作部によって火力を変更する指令または消火指令が出力されるまで前記コンロバーナの火力を前記設定小火力に維持する設定小火力用制御を実行し、
前記コンロバーナの火力を前記所定の第１火力以上の設定大火力に変更する指令が前記点消火操作部の操作によって出力された場合、前記制御部は、前記コンロバーナの火力を前記設定大火力に変更した後、所定の第１時間が経過するまでは前記コンロバーナの火力を前記設定大火力に維持し、前記所定の第１時間が経過した後は前記点消火操作部によって火力を変更する指令が出力されないときにも前記コンロバーナの火力を前記所定の第１火力以下に設定された所定の第２火力に減少させる、設定大火力用時限制御を実行することを特徴とするガスコンロ。
【請求項２】
タイマ時間が設定可能で、前記コンロバーナによる加熱中に、前記タイマ時間の残り時間が時間の経過と共に減少し、前記タイマ時間の残り時間が零になった時点で前記制御部が前記コンロバーナを消火するタイマ調理が実行可能に構成され、前記設定大火力用時限制御の実行中において前記所定の第１時間が経過した後であっても、前記タイマ時間が設定されており、前記タイマ時間の残り時間が零より大きいときには、前記制御部は、前記コンロバーナの火力を前記設定大火力に維持し、前記タイマ時間の残り時間が零になった時点で前記制御部が前記コンロバーナを消火することを特徴とする請求項１に記載のガスコンロ。
【請求項３】
前記コンロバーナによって加熱される調理容器の温度を検出する調理容器温度検出手段を備え、前記調理容器温度検出手段の検出温度に基づいて、前記手動によらず、前記制御部の自動調整によって前記コンロバーナの火力の変更を行うフィードバック制御が実行可能で、前記フィードバック制御の実行中は、前記点消火操作部の操作によっては前記コンロバーナの火力が変更されず、前記自動調整によってのみ前記コンロバーナの火力が変更されることを特徴とする請求項１または請求項２に記載のガスコンロ。
【請求項４】
前記設定大火力用時限制御の実行中は、前記所定の第１時間より短い所定の第２時間が経過した時点で報知することを特徴とする請求項１から請求項３のいずれかに記載のガスコンロ。
【請求項５】
前記設定大火力用時限制御の実行により前記コンロバーナの火力が前記所定の第２火力に減少されたときに報知することを特徴とする請求項１から請求項４のいずれかに記載のガスコンロ。
【発明の詳細な説明】
【技術分野】
【０００１】
本発明は、コンロバーナと、手動にて操作される点消火操作部と、この点消火操作部の操作によって前記点消火操作部から出力される指令に基づいて前記コンロバーナの点消火および火力の制御を行う制御部と、を備えたガスコンロに関する。
【背景技術】
【０００２】
上記のようなガスコンロとして、五徳に載置した鍋などの調理容器の底面に沿う燃焼排気の通路部分に、径方向に間隔を存して燃焼排気の存在を検出する複数の温度センサを列設し、これらセンサの検出値に基づいて鍋の径を判別する鍋径検出装置を備え、検出した鍋径の大小に応じてコンロバーナの最大火力を増減するガスコンロが知られている（例えば、特許文献１参照）。
【０００３】
特許文献１のガスコンロにおいては、鍋径の大きな鍋を使用する場合には、コンロバーナの最大火力が増加されることになるが、鍋径の小さな鍋を使用する場合には、コンロバーナの最大火力が減少されるので、鍋底の外方に炎がはみ出すことを抑制でき、高温の燃焼排気による鍋の取っ手の加熱を防止できるものであり、鍋底の外方にはみ出した炎に使用者が不用意に接近して使用者が高温にさらされる蓋然性が低くなるため好都合である。
【先行技術文献】
【特許文献】
【０００４】
【特許文献１】特開平９−２６４５３８号公報
【発明の概要】
【発明が解決しようとする課題】
【０００５】
特許文献１のガスコンロでは、鍋径を判別するために複数の温度センサが必要であり、製造コストが高くなりがちであり、また、使用者が大火力を希望する場合であっても、使用する調理容器の大きさに対応してコンロバーナの最大火力が減少されることになるため、使用者が希望する火力が得られない場合があり改善が望まれるものであった。
【０００６】
本発明は、かかる点に着目してなされたものであり、その目的は、低コストで、鍋底の外方にはみ出した炎に使用者が不用意に接近して使用者が高温にさらされることが防止できるガスコンロを提供する点にある。
【課題を解決するための手段】
【０００７】
この目的を達成するために、コンロバーナと、手動にて操作される点消火操作部と、この点消火操作部の操作によって前記点消火操作部から出力される指令に基づいて前記コンロバーナの点消火および火力の制御を行う制御部と、を備えたガスコンロにおいて、請求項１に記載の発明によるガスコンロは、前記コンロバーナの火力を所定の第１火力より小さい設定小火力に変更する指令が前記点消火操作部の操作によって出力された場合、前記制御部は、前記コンロバーナの火力を前記設定小火力に変更した後、前記点消火操作部によって火力を変更する指令または消火指令が出力されるまで前記コンロバーナの火力を前記設定小火力に維持する設定小火力用制御を実行し、前記コンロバーナの火力を前記所定の第１火力以上の設定大火力に変更する指令が前記点消火操作部の操作によって出力された場合、前記制御部は、前記コンロバーナの火力を前記設定大火力に変更した後、所定の第１時間が経過するまでは前記コンロバーナの火力を前記設定大火力に維持し、前記所定の第１時間が経過した後は前記点消火操作部によって火力を変更する指令が出力されないときにも前記コンロバーナの火力を前記所定の第１火力以下に設定された所定の第２火力に減少させる、設定大火力用時限制御を実行する点を特徴とする。
【０００８】
請求項１に記載の発明によれば、手動にて操作される点消火操作部の出力によって指令された火力が所定の第１火力より小さい設定小火力であるときには、制御部によってコンロバーナの火力が設定小火力に調整され、その点消火操作部によって火力を変更する指令または消火指令が出力されるまでコンロバーナの火力は設定小火力に維持されることになり、使用者が希望する設定小火力にてコンロバーナによる調理が行える。この場合、第１火力を、例えば２０ｃｍ程度の直径の鍋をコンロバーナによって加熱した時に、その鍋の外周から外側にコンロバーナに形成される炎がはみ出さない程度の火力に設定しておけば、使用者が不用意にコンロバーナに形成される炎に接近して使用者が高温に晒されるおそれは小さく安全に使用できる。
【０００９】
一方、手動にて操作される点消火操作部の出力によって指令された火力が所定の第１火力以上のときには、制御部によってコンロバーナの火力が所定の第１火力以上の記設定大火力に調整された後、第１時間が経過するまではコンロバーナの火力をその設定大火力に維持し、第１時間が経過した後はその点消火操作部によって火力を変更する指令が出力されないときにもコンロバーナの火力を所定の第１火力以下に設定された火力である所定の第２火力に減少させることになる。このように構成することによって、もし使用者がコンロバーナの火力を所定の第１火力以上の記設定大火力に変更したことを失念してもコンロバーナの火力は制御部によって第１火力以下に設定された所定の第２火力に減少されることになるから、使用者がコンロバーナの火力を第１火力以上に設定したことを失念してしまい、不用意にコンロバーナに形成される炎に接近して使用者が高温にさらされるおそれは小さくなるので安全に使用できる。
【００１０】
この場合、第１火力以上の記設定大火力に調整された後、第１時間が経過するまではコンロバーナの火力をその設定大火力に維持し、第１時間が経過した後はその点消火操作部によって火力を変更する指令が出力されないときにもコンロバーナの火力を所定の第１火力以下に設定された火力である所定の第２火力に減少させるものであるから、温度センサを必要とせず、低コストにガスコンロが構成できる。
【００１１】
要するに、請求項１に記載の発明によれば、コンロバーナによって加熱される調理容器の外方にはみ出した炎に使用者が不用意に接近して使用者が高温にさらされることが防止できるガスコンロが低コストで構成できる。
【００１２】
請求項２に記載の発明によるガスコンロは、請求項１に記載のガスコンロにおいて、タイマ時間が設定可能で、前記コンロバーナによる加熱中に、前記タイマ時間の残り時間が時間の経過と共に減少し、前記タイマ時間の残り時間が零になった時点で前記制御部が前記コンロバーナを消火するタイマ調理が実行可能に構成され、前記設定大火力用時限制御の実行中において前記所定の第１時間が経過した後であっても、前記タイマ時間が設定されており、前記タイマ時間の残り時間が零より大きいときには、前記制御部は、前記コンロバーナの火力を前記設定大火力に維持し、前記タイマ時間の残り時間が零になった時点で前記制御部が前記コンロバーナを消火する点を特徴とする。
【００１３】
請求項２に記載の発明によるガスコンロでは、タイマ時間が設定可能で、コンロバーナによる加熱中に、タイマ時間の残り時間が時間の経過と共に減少するいわゆる減算式タイマのタイマ時間の残り時間が零になった時点で制御部がコンロバーナを消火するタイマ調理が実行可能に構成される。そして、設定大火力用時限制御の実行中において所定の第１時間が経過した後であっても、タイマ時間が設定されており、タイマ時間の残り時間が零より大きいときには、制御部は、前記コンロバーナの火力を前記設定大火力に維持することになる。そして、タイマ時間の残り時間が零になった時点で制御部がコンロバーナを消火するのである。
【００１４】
つまり、タイマ調理を実行する場合には、通常使用者は用意したレシピに従った火力にって調理を行うものであるから、もし、タイマ調理の実行途中で制御部によってコンロバーナの火力が減少された場合には調理の失敗を招くおそれがあるので、設定大火力用時限制御の実行中において、所定の第１時間が経過した後であっても、タイマ時間の残り時間が零より大きいときには、制御部は、前記コンロバーナの火力を前記設定大火力に維持し、タイマ調理の実行途中で制御部によってコンロバーナの火力が減少されることによる調理の失敗を防止するのである。
【００１５】
上述のように、請求項２に記載の発明によれば、調理の失敗が抑制されたガスコンロとすることが可能となる。
【００１６】
請求項３に記載の発明によるガスコンロは、請求項１または請求項２に記載のガスコンロにおいて、前記コンロバーナによって加熱される調理容器の温度を検出する調理容器温度検出手段を備え、前記調理容器温度検出手段の検出温度に基づいて、前記手動によらず、前記制御部の自動調整によって前記コンロバーナの火力の変更を行うフィードバック制御が実行可能で、前記フィードバック制御の実行中は、前記点消火操作部の操作によっては前記コンロバーナの火力が変更されず、前記自動調整によってのみ前記コンロバーナの火力が変更される点を特徴とする。
【００１７】
つまり、コンロバーナによって加熱される調理容器の温度を検出する調理容器温度検出手段を備える。そして、調理容器温度検出手段の検出温度に基づいて、使用者の手動によらず、ガスコンロに備える制御部の自動調整によってコンロバーナの火力の変更を行うフィードバック制御が実行可能に構成する。加えて、フィードバック制御の実行中は、使用者の手動による点消火操作部の操作によってはコンロバーナの火力が変更されず、上述の自動調整によってのみコンロバーナの火力が変更されるように構成する。
【００１８】
このように構成することで、例えば天ぷら等の揚げ物調理を行う際などには、調理容器温度検出手段の検出温度に基づいて、使用者の手動によらず、ガスコンロに備える制御部の自動調整によってコンロバーナの火力の変更を行うフィードバック制御が実行できることになり、調理が良好に行えるガスコンロとすることができる。
【００１９】
加えて、フィードバック制御の実行中は、使用者の手動による点消火操作部の操作によってはコンロバーナの火力が変更されないので、手動にて操作される点消火操作部の出力によってガスコンロの火力が第１火力以上に変更されることがないので、フィードバック制御の実行中には、第１時間が経過した後にコンロバーナの火力が所定の第１火力以下に設定された火力である所定の第２火力に減少させる設定大火力用時限制御を実行することもなく、制御部の自動調整によってコンロバーナの火力の変更を行うフィードバック制御の途中で火力が減少されることによる調理の失敗も抑制される。
【００２０】
要するに、請求項３に記載の発明によれば、調理が良好に行え、しかも、フィードバック制御の途中で火力が減少されることによる調理の失敗も抑制されたガスコンロとすることができる。
【００２１】
請求項４に記載の発明によるガスコンロは、請求項１から請求項３のいずれかに記載のガスコンロにおいて、前記設定大火力用時限制御の実行中は、前記所定の第１時間より短い所定の第２時間が経過した時点で報知する点を特徴とする。
【００２２】
請求項４に記載の発明によれば、設定大火力用時限制御の実行中に、放置しておけばコンロバーナの火力が減少することになる第１時間が経過する前の第２時間が経過した時点で報知されるものであるから、コンロバーナの火力が減少される前に、使用者は、そのまま放置すればコンロバーナの火力が減少されることを認識できることになり、使い勝手がよいガスコンロとすることができる。
【００２３】
請求項５に記載の発明によるガスコンロは、請求項１から請求項４のいずれかに記載のガスコンロにおいて、前記設定大火力用時限制御の実行により前記コンロバーナの火力が前記所定の第２火力に減少されたときに報知する点を特徴とする。
【００２４】
請求項５に記載の発明によれば、設定大火力用時限制御の実行中に、コンロバーナの火力が減少したときに、使用者は、コンロバーナの火力の減少が、コンロバーナの火力を設定大火力に設定した後に第１時間が経過したことによる火力の減少であることが認識できるので、使用者に違和感を与えることが抑制されたガスコンロとすることができる。
【発明の効果】
【００２５】
本発明のうち請求項１に記載の発明によれば、コンロバーナによって加熱される調理容器の外方にはみ出した炎に使用者が不用意に接近して使用者が高温にさらされることが防止できるガスコンロが低コストで構成できる。
【００２６】
請求項２に記載の発明によれば、調理の失敗が抑制されたガスコンロとすることが可能となる。
【００２７】
請求項３に記載の発明によれば、調理が良好に行え、しかも、調理の失敗も抑制されたガスコンロとすることができる。
【００２８】
請求項４に記載の発明によれば、使い勝手がよいガスコンロとすることができる。
【００２９】
請求項５に記載の発明によれば、使用者に違和感を与えることが抑制されたガスコンロとすることができる。
【図面の簡単な説明】
【００３０】
【図１】本発明のガスコンロの一実施例を示す平面図
【図２】本発明のガスコンロの一実施例におけるガスバーナ周辺の側面図
【図３】本発明のガスコンロの一実施例におけるガスバーナ周辺の側面図
【図４】本発明のガスコンロの一実施例におけるガスバーナ周辺の側面図
【図５】本発明のガスコンロの一実施例における燃料供給路の説明図
【図６】制御部による火力制御に係るサブルーチンのフローチャート
【図７】制御部による火力制御に係るサブルーチンのフローチャート
【発明を実施するための形態】
【００３１】
本発明にかかるガスコンロの一実施形態について、図面に基づいて説明する。
本発明にかかるガスコンロの一実施形態としてのガステーブルコンロＡは、図１に示すようにガスコンロ本体０１の上面がトッププレート０２で覆われており、円筒状の外形（本実施形態では外径６６ｍｍ）を有する左バーナ３１および右バーナ３２の２口のガスバーナを備えており、トッププレート０２に形成したバーナ用開口（図示せず）を介して、夫々のガスバーナの外周に形成された炎孔部３３をトッププレート０２の上方に突出させている。
【００３２】
図１、図５に示すように、ガステーブルコンロＡにおいて左バーナ３１および右バーナ３２より前方側に位置しているその前面には、使用者が手動にて左バーナ３１の点消火操作を行うための左点消火操作部４１および使用者が手動にて右バーナ３２の点消火操作を行うための右点消火操作部４２が設けられており、ガステーブルコンロＡ内には、左点消火操作部４１および右点消火操作部４２の操作に基づいて、ガス供給路８に備えるガスバルブ９の開閉および図示しないイグナイタの発停により左バーナ３１および右バーナ３２の点消火の制御を行い、また、ガス供給路８からの分岐路８ａに備える図示しないステッピングモータ駆動による流量制御弁１０の開度調節を行って左バーナ３１および右バーナ３２に供給されるガス量を調節して左バーナ３１および右バーナ３２の火力の制御を行う制御部１１を備えている。
【００３３】
また、ガステーブルコンロＡはガスグリル部（図示せず）を備えており、ガステーブルコンロＡの前面には、ガスグリル部の前面に備える扉（図示せず）を開閉するためのグリル取っ手４４およびガスグリル部の点消火操作を行うためのグリル点消火操作部４３を備えおり、ガスグリル部における調理に伴う排気はトッププレート０２の後方に設けたグリル排気口４５から排出される。
【００３４】
トッププレート０２上における左バーナ３１および右バーナ３２夫々の炎孔部３３の周囲には、コンロバーナ（左バーナ３１、右バーナ３２）によって加熱される調理容器６０を載置する五徳５０が配置してある。五徳５０は、調理容器６０を載置するための五徳爪５１を炎孔部３３の周囲に複数放射状に配置してあり、夫々の五徳爪５１の下端が円環状の五徳リング５２で結合されて、トッププレート０２上に載置されている。なお、ガステーブルコンロＡは左バーナ３１および右バーナ３２の２つのコンロバーナを備えるものであるが、左バーナ３１および右バーナ３２共に本発明の実施形態としては同様の形態を有するものであるので、以下、左バーナ３１の実施形態について詳しく説明し、右バーナ３２についての詳細な説明は省略する。
【００３５】
ガステーブルコンロＡが備える左バーナ３１について詳細に説明すると、図５に示すように、左バーナ（コンロバーナ）３１と、手動にて操作される左点消火操作部４１と、使用者による左点消火操作部４１の操作によって左点消火操作部４１から出力される指令に基づいて左バーナ３１の点消火および火力の制御を行う制御部１１を備える。
【００３６】
左バーナ３１の火力を所定の第１火力（本実施形態では、例えば１．７２ｋｗ）より小さい設定小火力に変更する指令が左点消火操作部４１の操作によって出力された場合、つぎのように、設定小火力用制御を実行する。
【００３７】
設定小火力用制御を実行すると、制御部１１は、ステッピングモータにより駆動されて弁体の開度位置の微調整が可能な流量制御弁１０を駆動して、左バーナ３１の火力を上記設定小火力に変更する。
その後、左点消火操作部４１によって火力を変更する指令または消火指令が出力されるまで左バーナ３１の火力を上記設定小火力に維持する。
【００３８】
また、左バーナ３１の火力を第１火力（本実施形態では、例えば１．７２ｋｗ）以上の設定大火力に変更する指令が左点消火操作部４１の操作によって出力された場合、つぎのように、設定大火力用時限制御を実行する。
【００３９】
設定大火力用時限制御を実行すると、制御部１１は、左バーナ３１の火力を上記設定大火力に変更した後、第１時間Ｔ１（本実施形態では、例えば１０分）が経過するまでは左コンロバーナ３１の火力を上記設定大火力に維持し、第１時間Ｔ１（本実施形態では、例えば１０分）が経過した後は左点消火操作部４１によって火力を変更する指令が出力されないときにも左バーナ３１の火力を第１火力（本実施形態では、例えば１．７２ｋｗ）より小さい第２火力（本実施形態では、例えば１．３９ｋＷ）に減少させる。これによって、以下の効果が得られる。
【００４０】
左バーナ３１の火力を第１火力（本実施形態では、例えば１．７２ｋｗ）以上の設定大火力に変更した場合、例えば、図２に示すように調理容器６０の大きさが比較的大きいときには、左バーナ３１に形成される火炎８１が調理容器６０の底面の外周からはみ出さない状態となるが、図３に示すように調理容器６０の大きさが比較的小さいときには、左バーナ３１に形成される火炎８１が調理容器６０の底面の外周からはみ出す状態となる。
【００４１】
図３に示すように調理容器６０の大きさが比較的小さく、左バーナ３１に形成される火炎８１が調理容器６０の底面の外周からはみ出す状態となった場合にも、使用者自らの左点消火操作部４１の手動操作により左バーナ３１の火力変更を行った後、当面の間、例えば１０分間程度は、左バーナ３１に形成される火炎８１が調理容器６０の底面の外周からはみ出す状態であることを認識しているとしても、使用者自らの左点消火操作部４１の手動操作により左バーナ３１の火力変更を行った後の時間経過とともに左バーナ３１に形成される火炎８１が調理容器６０の底面の外周からはみ出す状態であることを失念することが考えられる。
【００４２】
本実施形態のガステーブルコンロＡでは、左バーナ３１の火力を第１火力（本実施形態では、例えば１．７２ｋｗ）以上の設定大火力に変更する指令が左点消火操作部４１の操作によって出力された場合、設定大火力用時限制御を実行して、制御部１１が、左バーナ３１の火力を上記設定大火力に変更した後、第１時間Ｔ１（本実施形態では、例えば１０分）が経過するまでは左コンロバーナ３１の火力を上記設定大火力に維持し、第１時間Ｔ１（本実施形態では、例えば１０分）が経過した後は左点消火操作部４１によって火力を変更する指令が出力されないときにも左バーナ３１の火力を第１火力（本実施形態では、例えば１．７２ｋｗ）より小さい第２火力（本実施形態では、例えば１．３９ｋＷ）に減少させることで、図４に示すように調理容器６０の大きさが比較的小さいときであっても、左バーナ３１に形成される火炎８１が調理容器６０の底面の外周からはみ出さない状態とすることができるから、使用者が不用意に左バーナ３１に形成される火炎８１に近づくことが抑制される。しかも、左バーナ３１に形成される火炎８１を検出するための温度センサを必要とせず、低コストにガスコンロが構成できる。
【００４３】
また、図５に示すように、ガステーブルコンロＡには、左バーナ３１により各種自動調理を行うときに調理設定の入力を行うためのガスコンロ用調理設定入力部1７が設けられており、ガスコンロ用調理設定入力部１７は、左バーナ３１によるタイマ調理を行うときに、タイマ時間を設定するためのタイマースイッチ（図示せず）、揚げ物、炊飯、湯沸し、ゆで卵の自動調理のメニューをそれぞれ設定するための各メニュースイッチ（図示せず）、及び、前記各スイッチ（図示せず）操作して設定した各入力を取り消すための取消しスイッチ（図示せず）等を備えている。
【００４４】
タイマ設定部としてのタイマースイッチ（図示せず）の「＋」スイッチ（図示せず），「−」スイッチ（図示せず）を押すことにより、１分単位で１分〜１２０分迄のタイマ時間を設定することができ、設定されるタイマ時間が、表示部（図示せず）に表示される。また、設定された自動調理の実行中は、表示部（図示せず）には、タイマ時間の残り時間が１分となるまでは１分の時間経過と共にデクリメントされた分単位の残時間が、表示され、残り時間が１分未満になると、残り時間が３０秒なるまでは、「１分」の値が表示され、残り時間が３０秒以下になると、ブザーで報知すると共に、１秒単位で１秒の時間経過と共にデクリメントされた秒単位の残時間が、表示され、残り時間が０になると「０」が１０回点滅し、左バーナ３１が消火し、設定されたタイマ時間によるタイマ調理は終了する。
【００４５】
なお、タイマ時間が設定された後のタイマ調理の実行中に、タイマースイッチ（図示せず）「＋」スイッチ（図示せず）又は「−」スイッチ（図示せず）を押すことにより、タイマ時間の設定の変更ができ、設定可能な最大時間は１２０分迄であり、左バーナ３１の連続使用可能時間は１２０分迄としてある。
【００４６】
また、上記自動調理のメニュースイッチ（図示せず）の内、揚げ物用のメニュースイッチ（図示せず）を押すことで揚げものを自動調理で行う揚げ物モードとすることができ、この揚げ物用のメニュースイッチ（図示せず）を何回押すかによって、２００℃、１８０℃、１６０℃といった複数種類の揚げ物の調理の中から目的とする温度の揚げ物調理を設定することができる。また、炊飯用のメニュースイッチ２０を押すことで炊飯を自動調理で行う炊飯モードとすることができ、この炊飯用のメニュースイッチ（図示せず）を何回押すかによって、ご飯、おかゆといった複数種類の炊飯の調理の中から目的とする炊飯の調理を設定することができる。
【００４７】
また、湯沸し用のメニュースイッチ（図示せず）を押すことで湯沸しを自動調理で行う湯沸しモードとすることができ、この湯沸し用のメニュースイッチ（図示せず）を何回押すかによって、自動消火、５分保温といった湯沸し後にすぐ消火するか、あるいは一定時間保温するかといった湯沸しを選択して設定することができる。
【００４８】
タイマ調理について説明を加える。
上述のように、ガステーブルコンロＡは、左バーナ３１によるタイマ時間が設定可能で、左バーナ３１による加熱中に、タイマ時間の残り時間が時間の経過と共に減少し、タイマ時間の残り時間が零になった時点で制御部１１が左バーナ３１を消火するタイマ調理が実行可能に構成されるものである。
【００４９】
ガステーブルコンロＡは、所定の第１時間Ｔ１（本実施形態では、例えば１０分）が経過した後であっても、上記設定大火力用時限制御の実行中においてタイマ調理用のタイマ時間が設定されており、タイマ時間の残り時間が零より大きいときには、制御部１１は、左バーナ３１の火力を上記設定大火力に維持し、タイマ時間の残り時間が時間の経過と共に減少して零になった時点で制御部１１が左バーナ３１を消火する。
【００５０】
さらに、ガステーブルコンロＡは、左バーナ３１によって加熱される調理容器６０（図２〜４参照。）の温度を検出する調理容器温度検出手段７２を備え、調理容器温度検出手段７２の検出温度に基づいて、使用者の手動によらず、制御部１１による自動調整によって流量制御弁１０を駆動して左バーナ３１の火力の変更を行うフィードバック制御が実行可能に構成されているが、上記フィードバック制御の実行中は、左点消火操作部４１の操作によっては左バーナ３１の火力が変更されず、制御部１１による自動調整によってのみ左バーナ３１の火力が変更されるように構成されている。
【００５１】
また、上記設定大火力用時限制御の実行中は、所定の第１時間Ｔ１（本実施形態では、例えば１０分）より短い第２時間Ｔ２（本実施形態では、例えば５分）が経過した時点でブザー音「ピッ」を発し報知し、上記設定大火力用時限制御の実行により左バーナ３１の火力が第２火力（実施形態では、例えば１．３９ｋＷ）に減少された時点でブザー音「ピッピッピッ」を発し報知する。
【００５２】
本実施形態の左バーナ３１の火力制御の制御部１１における処理に関し、フローチャートを用いて、以下に説明する。
図６は、制御部１１における設定小火力用制御の処理に関するサブルーチンのフローチャートである。
先ず、Ｓ１０１で左点消火操作部４１から手動火力変更指令出力があるかどうかが判定され、Ｓ１０１で左点消火操作部４１から手動火力変更指令出力があると判定した場合は、Ｓ１０２に進んで指令火力が第１火力（本実施形態では、１．７２ｋｗ）より小さいかどうかが判定される。Ｓ１０２で指令火力が第１火力（本実施形態では、１．７２ｋｗ）より小さいと判定した場合は、Ｓ１０３に進んで制御部１１が左バーナ３１の火力を指令火力（＝設定小火力）に変更した後、メインルーチンにリターンする。
【００５３】
Ｓ１０１で左点消火操作部４１から手動火力変更指令出力がないと判定した場合、及び、Ｓ１０２で指令火力が第１火力（本実施形態では、１．７２ｋｗ）より小さくない(＝以上である)と判定した場合は、そのまま、メインルーチンにリターンする。なお、Ｓ１０２で指令火力が第１火力（本実施形態では、１．７２ｋｗ）より小さくない(＝以上である)と判定した場合は、後述する設定大火力用時限制御に関するサブルーチン（このサブルーチンは、メインルーチンからコールされることになる。）によって、設定大火力用時限制御が実行されることになる。
【００５４】
図７は、制御部１１における設定大火力用時限制御に関するサブルーチンでの処理を説明するフローチャートである。
先ず、Ｓ２０１で左点消火操作部４１から手動火力変更指令出力があるかどうかが判定され、Ｓ２０１で左点消火操作部４１から手動火力変更指令出力があると判定した場合は、Ｓ２０２に進んで指令火力が第１火力（本実施形態では、１．７２ｋｗ）以上であるかどうかが判定される。Ｓ２０２で指令火力が第１火力（本実施形態では、１．７２ｋｗ）以上であると判定した場合は、Ｓ２０３に進んで、制御部１１が左バーナ３１の火力を指令火力（＝設定大火力）に変更した後、Ｓ２０４に進んで、左点消火操作部４１から手動火力変更指令出力があるかどうかが再度判定される。Ｓ２０４で左点消火操作部４１から手動火力変更指令出力がないと判定した場合は、Ｓ２０５に進んで現在の左バーナ３１の火力が第１火力（本実施形態では、１．７２ｋｗ）以上であるかどうかが判定される。
【００５５】
Ｓ２０５で現在の左バーナ３１の火力が第１火力（本実施形態では、１．７２ｋｗ）以上であると判定した場合は、Ｓ２０６に進んで、タイマ調理中でタイマ調理用の残り時間が零より大きい状態であるかどうかが判定される。Ｓ２０６でタイマ調理中でタイマ調理用の残り時間が零より大きい状態ではない、つまり、タイマ調理の実行中ではないと判定した場合は、Ｓ２０７に進んで、左バーナ３１の火力を設定大火力に変更後に第２時間Ｔ２（本実施形態では５分）が経過したかどうかが判定される。Ｓ２０７で左バーナ３１の火力を設定大火力に変更後第２時間Ｔ２（本実施形態では５分）が経過したと判定した場合は、Ｓ２０８に進んで、「ピッ」と報知した後Ｓ２０９に進んで、左バーナ３１の火力を設定大火力に変更後に第１時間Ｔ１（本実施形態では１０分）が経過したかどうかが判定される。
【００５６】
なお、図７には図示していないが、Ｓ２０８に進んで、「ピッ」と報知したときにＳ２０８において報知済みであることを示す第１フラグをセットし、Ｓ２０７で左バーナ３１の火力を設定大火力に変更後第２時間Ｔ２（本実施形態では５分）が経過したと判定した場合であっても、上記第１フラグがセットされている場合にはＳ２０８をスキップするように構成してある。
【００５７】
２０９で左バーナ３１の火力を設定大火力に変更後に第１時間Ｔ１（本実施形態では１０分）が経過したと判定した場合は、Ｓ２１０に進んで、制御部１１が左バーナ３１の火力を第２火力（本実施形態では、１．３９ｋｗ）に変更し、そして、「ピッピッピ」と報知した後、メインルーチンにリターンする。
【００５８】
なお、図７には図示していないが、Ｓ２１０に進んで、制御部１１が左バーナ３１の火力を第２火力に変更し、そして、「ピッピッピ」と報知したときに、Ｓ２１０において処理済みであることを示す第２フラグをセットし、Ｓ２０９で左バーナ３１の火力を設定大火力に変更後第１時間Ｔ１（本実施形態では１０分）が経過したと判定した場合であっても、上記第２フラグがセットされている場合にはＳ２１０をスキップするように構成してある。
【００５９】
なお、Ｓ２０１で左点消火操作部４１から手動火力変更指令出力がないと判定した場合は、Ｓ２０５に進んで、現在の左バーナ３１の火力が第１火力（本実施形態では、１．７２ｋｗ）以上であるかどうかが判定されることになる。
また、Ｓ２０４で左点消火操作部４１から手動火力変更指令出力があると判定した場合は、Ｓ２０２に進んで指令火力が第１火力（本実施形態では、１．７２ｋｗ）以上であるかどうかが判定されることになる。
【００６０】
Ｓ２０２で指令火力が第１火力以上ではない（＝指令火力が第１火力より小さい）と判定した場合は、メインルーチンにリターンして、上述の設定小火力用制御に関するサブルーチン（このサブルーチンは、メインルーチンからコールされることになる。）によって、設定小火力用制御が実行されることになる。
【００６１】
また、Ｓ２０５で現在の左バーナ３１の火力が第１火力以上ではないと判定した場合、及び、Ｓ２０６でタイマ調理中でタイマ調理用の残り時間が零より大きいタイマ調理の実行中であると判定した場合、及び、Ｓ２０７で左バーナ３１の火力を設定大火力に変更後第２時間Ｔ２（本実施形態では５分）が経過していないと判定した場合、及び、２０９で左バーナ３１の火力を設定大火力に変更後第１時間Ｔ１（本実施形態では１０分）が経過していないと判定した場合は、メインルーチンにリターンすることになる。
【００６２】
なお、制御部１１による自動調整によって流量制御弁１０を駆動して左バーナ３１の火力の変更を行うフィードバック制御が実行されているときは、左点消火操作部４１の操作によっては左バーナ３１の火力が変更されず、制御部１１による自動調整によってのみ左バーナ３１の火力が変更されるように構成されているため、上述の、設定小火力用制御の処理に関するサブルーチン、及び、設定大火力用時限制御に関するサブルーチンの何れも実行されないように構成されている。
〔別実施形態〕
【００６３】
（１）上記実施形態では、本発明をガステーブルコンロＡに適用した場合について説明したが、本発明はビルトインコンロにも適用可能である。また、ガスコンロに備えるガスバーナの数は２つに限定されず、１口のガスコンロ、３口以上のガスコンロに適用可能である。
【００６４】
（２）上記実施形態においては、第２火力を第１火力（上記実施形態では、１．７２ｋｗ）より小さい１．３９ｋＷとするものであったが、第２火力を第１火力と等しい火力とするように構成してもよい。
【００６５】
（３）上記実施形態においては、第２時間Ｔ２（上記実施形態では５分）を第１時間Ｔ１（上記実施形態では１０分）の２分の１とし、左バーナ３１の火力を設定大火力に変更した後、第２時間Ｔ２が経過したときの１回に限り報知を行うように構成したものであったが、
第２時間Ｔ２をさらに短い時間とし、左バーナ３１の火力を設定大火力に変更した後、第２時間Ｔ２が経過する毎に複数回報知を行うように構成してもよい。
【符号の説明】
【００６６】
Ａ    ガステーブルコンロ
Ｔ１  第１時間
Ｔ２  第２時間
０１  ガスコンロ本体
０２  トッププレート
１０  流量制御弁
１１  制御部
１７  ガスコンロ用調理設定入力部
３１  左バーナ（コンロバーナ）
３２  右バーナ（コンロバーナ）
３３  炎孔部
４１  左点消火操作部
４２  右点消火操作部
４３  グリル点消火操作部
４４  グリル取っ手
４５  グリル排気口
５０  五徳
５１  五徳爪
５２  五徳リング
６０  調理容器
７２  調理容器温度検出手段
８１  火炎
８    ガス供給路
９    ガスバルブ
【図２】
2014194300.tif 000003
【図３】
2014194300.tif 000004
【図４】
2014194300.tif 000005
【図５】
2014194300.tif 000006
【図６】
2014194300.tif 000007
【図７】
2014194300.tif 000008
【図１】
2014194300.tif 000009